(57)【要約】      （修正有） 【課題】インターネットによる電子チケットの利用を促進するとともに、セキュリティーを向上させる。【解決手段】３連ＩＣタグが印刷媒体に添付されている。印刷媒体は、１又は複数枚であり、例えば、本のように片側が綴じられていても良い。綴じられないで、街頭で配布するようになっていても良い。印刷媒体へのＩＣタグ添付は、書物・ちらしなどの印刷媒体上の所定の位置であって、例えば４隅のいずれかに、後からチケット内容を印字するための発券プリント領域を白紙の状態で確保しておく。この白紙の状態の領域を発券プリント領域と称し、大きさは切り取り線により画定される大きさで各種の名刺サイズ又はカードサイズ程度が好ましい。この程度の大きさであれば、定期入れなどに入れて持ち歩くことができ、そのままリーダ／ライタで読み書きできる。【選択図】図６
2006119986.tif 000002
【特許請求の範囲】
【請求項１】
ＩＣタグを識別するユニークコードを記憶する記憶装置と、
外部とのデータのやり取りを行うインターフェイス部と、
前記記憶装置に記憶されているユニークコードを、電子取り引きにおける認証ＩＤとして前記インターフェイス部を介して提示する制御を行う制御部と
を有するＩＣタグを用いた電子チケット。
【請求項２】
請求項１に記載の電子チケットを用いた取り引きシステムであって、
前記ユニークコードを電子チケットに基づく予約、該予約に基づく購入の際の決済、実際の使用時の少なくともいずれかにおける認証ＩＤとして用いることを特徴とする取り引きシステム。
【請求項３】
電子取り引きに利用されそれぞれが記憶装置を有する複数連のＩＣタグであって、初期状態においては、前記複数連のうちの第１のＩＣタグの記憶装置に、電子取り引きのアクセス先情報と、ＩＣタグを識別するユニークコードと、が記憶されていることを特徴とするＩＣタグ。
【請求項４】
複数連のＩＣタグにおいて、次段のＩＣタグに電子チケット情報が書き込まれる処理に従って、前段のＩＣタグにおいてはＩＣタグを特定するユニークコードを残して他の情報が消去されることを特徴とするＩＣタグ。
【請求項５】
請求項１から４までのいずれか１項に記載のＩＣタグにおいて、該ＩＣタグが少なくとも２個以上の複数連ＩＣタグから成り、第１のＩＣタグを切り離す動作、または、第１のＩＣタグ内の電子データを取り込む動作、の少なくともいずれかにより、第２のＩＣタグの記録内容が変化することを特徴とするＩＣタグ。
【請求項６】
請求項１から４までのいずれか１項に記載のＩＣタグにおいて、該ＩＣタグが少なくとも２個以上の複数連ＩＣタグから成り、該複数連のＩＣタグにおいて、初段のＩＣタグに予め記録されていた電子取り引きセンターへのアクセス情報が、チケット予約を行った時点で消去されることにより電子取り引きセンターへの再アクセスを禁止することを特徴とするＩＣタグ。
【請求項７】
媒体に設けられる電子チケットであって、
前記媒体に設けられ、該媒体からの切り離しを可能とし前記電子チケット領域を画定する切り離し線と、
前記電子チケット領域内に形成される複数連のＩＣタグと
を有する電子チケット。
【請求項８】
さらに、複数連のＩＣタグに前記媒体の端部から延びて前記複数連のＩＣタグを切り離す位置に設けられた切込み線を有する請求項７に記載の電子チケット。
【請求項９】
前記ＩＣタグに記憶されているユニークコードを、電子取り引きにおける認証ＩＤとして利用することを特徴とする請求項７又は８に記載の電子チケット。
【発明の詳細な説明】
【技術分野】
【０００１】
本発明は、ＩＣタグを用いる取り引きシステム、電子チケット、及び複数連ＩＣタグに関し、特に、ＩＣタグを用い、ネット取り引きの利便性向上と、ネット決済の信用補強とを実現する技術に関する。
【背景技術】
【０００２】
近年、インターネットの普及により、ネット上での商品の取り引き、ネットオークション等の電子化手段による売買取り引き件数が急速に増大している。
【０００３】
この代表的なものとしては、図１に示すサイバーチケットシステムが提案されている。この技術では、イベント情報を格納し、イベントのサイバーチケットの予約、販売を管理するイベントサーバ２と、所定のイベントのサイバーチケットを予約するため、かつ、イベント会場に入場する際に提示するための携帯電話１とを備え、イベントサーバ２は、予約時に、そのときに使用した携帯電話１の電話番号を、予約した所定のイベントとともにイベント情報として格納する。通信処理部１３０を有する携帯電話１は、持主のイベント会場の入場時に、イベントサーバ２にアクセスし、予約した所定のイベントとともに予約時に使用した電話番号を表示するものである。表示部１１０の表示に基づいてキー入力部１２０のキー操作を行う。これにより、 チケット販売業者がユーザにチケットを郵送する必要がなくなるとともに、ユーザはチケット代金を払い込むために郵便局などの代金払い込み窓口まで赴く必要はなくなる。
【０００４】
【特許文献１】特開2002−63305号公報
【発明の開示】
【発明が解決しようとする課題】
【０００５】
しかしながら、上記特許文献１に記載の技術によれば、携帯電話番号が払い込み及びチケット利用時に使用されている。このことは、インターネットを利用するネット決済で、ユーザの銀行口座番号等をネット上に送出することに対する懸念と程度の差こそあるものの、本質的には同様の問題が内包されている。すなわち、銀行口座番号に代わるものとして、携帯電話番号を用いたところで、個人情報が流用されるという点においては代わりが無く、本質的な解決方法とは言い難い。
【０００６】
従来の技術を用いた場合に未解決の事項を整理して列挙すれば、以下のようになる。
１）従来のインターネットを用いたネット販売では、代金の支払いに銀行口座番号や携帯電話番号など、個人に固有な個人情報を用いる例が多く、ユーザのネット決済に対する懸念・不信感を拭えなかった。
【０００７】
２）宣伝・広告媒体（紙ベース）とインターネットによるネット予約・販売・決済とを繋ぐ手段としてタグがあるが、ＩＣタグが、必ずしも安価とは言えないこともあって、宣伝・広告媒体とネット予約・販売・決済とは別々のものとして扱われるため、その間のギャップをユーザが埋めるしかなかった。
【０００８】
３）宣伝・広告媒体（紙ベース）とネットワークとを一体化して、電子化付加価値（例えば電子チケット）の売買を、決済まで含めたネットワーク上で一元的に行うためには２つの問題点があった。２つの問題点とは、ａ）紙媒体と電子データとの一体化、ｂ）ネット決済時の信用を保証するプライバシーやセキュリティーの問題を回避できる個人ＩＤの不在である。
【０００９】
本発明は、今後のインターネットによる電子的付加価値（例えば、以下に例として説明する電子チケットなど）の売買を容易にし、日常生活の利便性向上に寄与することを目的とする。
【課題を解決するための手段】
【００１０】
本発明は、宣伝・広告媒体とＩＣタグとの一体化された取り扱いを可能とし、ネット決済における個人IDに相当する認証IDに、ＩＣタグに埋め込まれたユニークコードを、ワンタイム利用することを特徴とする。これにより、情報やデータの改ざんやなりすまし等の悪用を防止し、ネット決済の信用補強も兼ね備えることを目的とするものである。
【００１１】
尚、本明細書においては、ユニークコードとは、ＩＣタグを特定し、併せて、チケット予約・購入・決済・実使用時に、個人認証ＩＤとして利用することを目的とした一連のデータ列を指すものとする。
【００１２】
より具体的な利用方法としては、以下の方法が挙げられる。
【００１３】
１）ＩＣタグを用いる、ネット取り引きの利便性向上、ネット決済の信用補強についての発明：本発明のＩＣタグの小型性、低価格性を生かし、以下の新しい利用方法がある。
ａ）印刷媒体（書籍、出版物、雑誌、ちらし等）に添付し、ネット取り引きのガイド役（予約申込み先、予約・購入方法等）として利用する。
ｂ）印刷（紙）媒体主体の各種チケットと併用することにより、人間が確認するためのもの（紙媒体）と、機械が確認するためのもの（ＩＣタグ）とを併せ持つ、新しい電子チケットとして利用する。
【００１４】
ｃ）新しい電子チケットは、今後、普及・拡大が期待される各種電子ゲートの入場チケットとなり、人間と機械とが並存するシステムの一元的な入退出管理を可能とする。
ｄ）新しい電子チケットは、座席等予約・購入・決済等を、ネット上で全て電子的に実施することができ、今後のネット取り引きには必須のツールとして利用できる。
ｅ）電子化システムによるネット決済で、最も重要な課題とされるものは、信用保証の問題である。新しい電子チケットは、使い捨てユニークコードを利用することでデータの改竄を防止することによりセキュリティーを高めることができる。使い捨てユニークコードは、ワンタイム・パスワードにも匹敵し、不正取り引きの機会を封じることに寄与し、電子取り引きの信頼性と、顧客の安心感を引き出す役割を果たす。
【発明の効果】
【００１５】
本発明によれば、ＩＣタグを用いた電子取り引きシステムにおいて、チケット等予約・購入の機会を広げ、地域・場所を問わず、かつ、電子的に迅速な予約・購入手続きが行えるという利点がある。
【００１６】
また、チケット販売、イベント主催者側のメリットは、従来の印刷・ちらし等による広告・宣伝と、チケット予約を連動させることにより、顧客勧誘と、広告効果とを兼ね備えた宣伝媒体として、新たな集客方法を開拓できる。
【００１７】
さらに、ネット決済につきまとう、銀行口座番号の漏洩に関しては、顧客とその取り引き銀行に閉じた系で決済ができ、顧客のネット振込みに対する信頼性が増す。
【００１８】
ＩＣタグ利用の電子取り引きは、取得したＩＣタグからの初期設定により、公共・共用のコンピュータからも、容易に利用できる環境を構築することができ、コンピュータを保有していない人や、その利用技術レベルに依存することはなく、電子チケットをネット購入できるという、新たな利用機会を拡大することができる。
【発明を実施するための最良の形態】
【００１９】
本明細書において、複数連ＩＣタグとは、独立のタグ用ＩＣを備えた個々のタグが複数設けられて例えばシート状の１つの形態をなしているタグであり、個々のタグ同士の繋がりに関する形式は、面方向でも良いし面に対する法線方向であっても良く、そのつながりに関する形式は任意の形式で良い。ＩＣタグの中には、例えば、切り離し可能であり切り離しに応じて機能が変化するＩＣタグや、一時書込み／消去可能な複数連のＩＣタグが含まれる。  以下、本発明の実施の形態による複数連ＩＣタグを用いる取り引きシステムについて図面を参照しつつ説明を行う。
【００２０】
図２は、本実施の形態による複数連ＩＣタグであって、各種宣伝・広告印刷媒体（書籍、出版物、雑誌、ちらし、等）に添付される複数連ＩＣタグの外観構成例を示す図である。図２に示すように、本実施の形態による複数連ＩＣタグ１０は、タグＡ１１と、タグＢ１２とタグＣ１３とが含まれる３連ＩＣタグである。但し、３連は単なる例示であり、タグの数を限定するものではない。
【００２１】
印刷媒体に添付されるＩＣタグに書込まれるべき情報は、以下の項目を必須とする。ここでは、内容を単純化するため、チケット販売を例に説明する。すなわち、１）チケット予約・販売を行うチケットセンターへのアクセスURLと、２）顧客認証に利用するユニークコード（システム内／外の重複を排除しうるコード）である。
【００２２】
図３は、本実施の形態による複数連ＩＣタグ（この例では３連ＩＣタグである。）が印刷媒体１５−１に添付される状態を示す図である。印刷媒体は、１又は複数枚（図ではｍ枚（ｍは１以上の整数）であり、これらの印刷媒体１５−１から１５−ｍ（以下、簡単のため印刷媒体１５と称する。）は、例えば、本のように片側が綴じられるようになっていても良い。綴じられていないで、街頭で配布するようになっていても良い。
【００２３】
尚、図３に示す印刷媒体１５へのＩＣタグ添付において１つ重要な要件は、ＩＣタグを添付する書物・ちらしなどの印刷媒体１５上の所定の位置（一般的には例えば４隅のいずれかを使用することにより切り取りが容易である。）に、後からチケット内容を印字するための発券プリント領域（スペース）２０（切り取り線２１よりもＩＣタグ１０側であって、ＩＣタグ１０が埋め込まれている部分以外の領域）を白紙の状態で確保しておくことである。この白紙の状態の領域を発券プリント領域２０と称し、発券プリント領域の大きさは、切り取り線２１により画定される大きさであって、各種の名刺サイズ又はカードサイズ程度であるのが好ましい。この程度の大きさであれば、定期入れなどに入れて持ち歩くことができるため、使い勝手も良い。上記構成により、ユーザは、切り取り線２１により切り取って携帯することができる。定期入れなどに発券プリント領域２０を含むカード状のＩＣタグを入れておけば、そのままリーダー／ライターで読み書きでき、便利である。
【００２４】
図４は、本実施の形態による３連ＩＣタグの内部構造例を示す図である。図４に示すように、本実施の形態による３連ＩＣタグは、切り離し可能なＩＣタグＡ１１と、切り離し可能なＩＣタグＢ１２と、非切り離しＩＣタグＣ１３（タグ本体）との３つの部分から構成されている。ＩＣタグＡ１１と、ＩＣタグＢ１２と、ＩＣタグＣ１３（タグ本体）部分とは、それぞれＩＣ１（６０）、ＩＣ２（７０）、及びＩＣ３（８０）と、タグと外部（タグとの間でデータのやり取りを行なうリーダー／ライター装置）のインターフェイスとしての、アンテナ３０、アンテナ４０、及びアンテナ５０とを備えている。
【００２５】
ＩＣ１（６０）とＩＣ２（７０）との間には信号伝送用の信号線路Ｌ１が、ＩＣ２（７０）とＩＣ３（８０）との間には、ＩＣ２（７０）とＩＣ３（８０）との間の信号伝送用の信号線路Ｌ２が、それぞれ設けられている。信号線路Ｌ１は、部分Ａ１がタグ本体から切り離された場合に切断されるように配線され、同様に信号線路Ｌ２も、部分Ａ２がタグ本体から切り離された場合切断されるようなレイアウトで配線されている。それぞれのＩＣタグは、切り離し線１又は２により切り離すことができるが、切り離さずに使用することもできる。本実施の形態では、切り離さないで用いる例について説明する。従って、線路ＳＬ１２、ＳＬ２１等に関する説明は省略する。
【００２６】
図５は、ＩＣタグＡ１１のＩＣ１（６０）の構成例を示す機能ブロック図である。他のＩＣも構成はほぼ同じである。図５に示すように、ＩＣ１（２１０）は、アンテナからの受信信号の一部を、電力に変換する電源回路２１１と、タグの外部インターフェイスであるアンテナ１に対して信号の受信・送信を行なう送受信回路２１２と、エンコードされたデータを変調する変調回路２１３と、受信信号を復調する復調回路２１４と、データのエンコード及びデコードを行なうエンコード／デコード回路２１５と、データの処理を行なうデータ処理回路２１６と、記憶装置２１８と、データ処理回路２１６と記憶装置２１８との動作を、タグの状態に応じて制御する制御回路２１７と、を有している。制御回路２１７は、例えば図４に示すタグの切り離しに応じて生じる線路ＳＬ１２、ＳＬ２１、ＳＬ２３などのインピーダンス変化に基づいてタグの切り離しを検出・判定する機能を有しているのが好ましい。
【００２７】
上記タグＡにおける重要な構成要件は、タグＡ内の記憶装置２１８内に、以下の１）、２）が書込まれていることである。１）チケットセンターへのアクセス用ＵＲＬ（予約申込みの方法、座席の指定・確認方法等があっても構わない）。
２）本ＩＣチップだけに許容されるワンタイム利用のユニークコード（基本的には乱数発生等により作成されるものとし、既存のバーコードや、各種IDコードとの重複は避けるようにする。）
【００２８】
宣伝・広告用印刷媒体１５（図３）に添付されているＩＣタグを取得し所持する顧客は、このＩＣタグを読み取り可能なＩＣタグリーダを持つ情報処理装置（コンピュータ、ＰＤＡ、携帯電話機など）に読み取らせることによって、その場からチケットの予約・購入・決済を行うことができるという特徴を有する。
【００２９】
さらに、本実施の形態によるＩＣタグを包含する新しい電子チケット（外観は紙やプラスティックであり、実質的な内容は電子チケットである。）は、最終的には、そのまま、列車・飛行機・劇場・映画館・コンサートホール等への電子入場券として使用可能である。
【００３０】
従って、本実施の形態による電子チケットは、チケットの予約・購入・決済の各段階から、チケットとしての権利行使を行う最終段階まで、一元的に使用が可能な究極のチケットである。しかも、この電子チケットは、基本的に無料であり、かつ、都市、地方を問わず、出版物、広告媒体（綴じ込み、ちらし等）の形態で、或いは、ダイレクトメールなどの郵便物として、全国どこにいても容易に入手可能である。
【００３１】
【表１】
2006119986.tif 000003
【００３２】
次に、図６及び表１を参照して、上記電子チケットの実現方法について説明する。宣伝・広告媒体・出版物等に添付されるＩＣタグは、図６に示すように、基本的に切り離し、または、消し込み可能な、３連のＩＣタグを例にして説明する。図６において、ハッチが付されている領域のタグは、有意な情報が書き込まれているタグである。初期段階として街頭などで配布された際には、左端のタグＡには、チケット予約・購入に必要なアクセス情報と、その後の顧客の信用保証に利用されるユニークコードとが書き込まれているものとする。以下に、チケットの各使用段階における処理について説明を行う。
【００３３】
（１）アクセスＳｔｅｐ
本実施の形態によるＩＣタグを取得した顧客からアクセスを受けたチケットセンターでは、印刷媒体を通じて広告・販売されたチケットの内容提示、販売座席の空席状況提示、予約・購入手続きのガイダンス等に関する情報を例えばコンピュータ画面上に提示する。上述のように、コンピュータの代わりにＲ／Ｗ付きＰＤＡや携帯電話機に提示することもできる。顧客は、この情報を基に、チケット購入に関する判断を行う。空席状況を提示する場合には、画面を見ている間にも、売れ行き状況が把握できるように、リアルタイムに表示される予約システムであることが望ましい。
【００３４】
（２）予約Ｓｔｅｐ
この顧客が、チケット購入を決意した場合は、本実施の形態によるチケット予約システムでは、空席表示を予約表示に書き換えるとともに、顧客が予約した座席のシートＮｏ．をＩＣタグＢに書き込む。その際、ＩＣタグＡに書き込まれていたユニークコードをＩＣタグＢに転記する。それと同時に、タグＡに書き込まれていたチケットセンターへのアクセス情報を消去し、同じＩＣタグに付与されていたユニークコードの重複した利用はできないようになっている。上記工程は、切り離し可能なＩＣタグにおいて、タグＡを切り離すことことにより生じる変化と物理的に等価であり、タグＡの再利用はできないようになっている。
【００３５】
（３）購入Ｓｔｅｐ
顧客が予約したチケットを実際に購入する際の決済方法は、ネット決済により実行可能である。そのため、顧客は、銀行窓口やコンビニ等の店頭払い込み以外に、ネット決済を利用することができる。その最も身近な例は、自己の銀行口座からの銀行振込みである。その際、振り込み先に自己の銀行口座番号を教えずにするのが好ましい。
【００３６】
そこで、本実施の形態によるＩＣタグのユニークコードが顧客の信用補完の役割を担うことになる。つまり、チケットの管理を行うチケットセンターにおける処理は、このユニークコードが送られた際に仮予約されたものとして扱われ、銀行からこのユニークコードを提示しての振込みがあった際に初めて、購入済みとして処理が行われるようにする。その猶予時間をどれ程度にするかは、チケットの種類、時間によるチケット価値の増減、主催者の意志、などに基づいて決めることができる。
【００３７】
尚、このチケット購入予約処理において販売した座席Ｎｏ．等の情報をタグＣに書き込むとともに、タグＣにより、このＩＣタグを添付してある紙面上にチケット内容（券名、利用日時、座席Ｎｏ．等）を発券プリントするとともに（発券プリント領域２０：図３参照）、印刷情報をＩＣ内に書き込む（図６、表１参照）。但し、銀行口座やユニークＩＤなどはセキュリティー上の関係から印字しないのが好ましい。顧客は、リーダ/ライタを有していない場合も多く、ＩＣタグ内の情報を確認することはできないため、印刷された情報によりシートＮｏなどを確認することができる。図３では、シートＮｏ.Ｂ-251が印字されている。
【００３８】
さらに、タグＢに転記されていたチケット予約情報が消去され、最終的にタグＣにのみ発券内容が記録される。
【００３９】
但し、このＩＣタグに最初に付与されているユニークコードだけは、この電子チケットの最終内容確認時に、タグＣの内容と共に参照され、このＩＣタグの信憑性を確認するために用いられる。従って、タグＣの内容が正しいことが確認され、かつ、タグＡ、タグＢに同一のユニークコードの記録が残っていることが確認されると、電子チケットが正規のものであることが証明されることになる。
【００４０】
本実施の形態によるインターネットによる電子チケットの購入段階では、最終的にタグＡ、タグＢ、タグＣの3連ＩＣタグのうち、タグＣにのみ発券内容が記録されており、タグＡ、およびタグＢに、最初から、または、一時的に書き込まれたユニークコード等の情報が保存されていないことが、正規の電子チケットであることを証明することになる。従って、本実施の形態による電子チケットの権利を行使する際には、タグＣを読み取ることとともに、タグＡ及びタグＢ上の情報が正しく消去されているか否かに関しても確認する。こ両方を確認することにより、チケットの偽造を完全に除去することができる。
【００４１】
一方、チケットを購入しようとする顧客は、チケットシステムが指定する時間内に、このユニークコードを振り込み元ＩＤとして利用し、例えば自己の銀行口座からチケットシステムへの銀行振込みを実行する。これにより、顧客は、一切、自己の銀行口座番号を表に出すことなく、このユニークコードを仲介として銀行口座の振込みを行えば良い。
【００４２】
尚、このユニークコードは、ＩＣタグによるチケットのネット購入・決済毎に、使い捨てされるコードであり、盗聴・傍受・偽造等の不正利用を防止する目的を兼ねる。
【００４３】
（４）決済Ｓtｅｐ
次いで、顧客自身の決済処理を行う。この決済処理は、上記の予約・購入のチケットシステムとの接続を一旦切断し、別途、コンピュータから銀行口座振込みの処理を行うものである。この際、これまでのネット決済と基本的に異なる点は、電子チケットを該当などで取得した再に全く偶然に取得したユニークコードを、チケット売買における顧客とチケットセンターシステムとの仲介キーとして利用する点にある。
【００４４】
（５）入場Ｓｔｅｐ
最後に、顧客がこの電子チケットによる入場を行う場合は、基本的に電子ゲートを経て入場することになる。その際、電子ゲートでは、この電子チケットタグＣに書き込まれている、座席Ｎｏ．とともにに、予約・決済（口座振込み）時に使用したユニークコードにより、支払いの確認が行われる。併せて、タグＡ、タグＢ上の情報が正しく消し込まれているかどうかも確認される。
【００４５】
もし、顧客が、指定時間内に振込み完了していなかった場合には、そのタイムリミットの時点で、仮予約は抹消され、別の購入者が利用権を獲得する機会を与えられる。従って、未払いのままこの電子ゲートを通過しようとしても、タグＣの書き込み情報だけでは、ゲートは開かないため、電子ゲートを通過できない。
【００４６】
次に、上記電子チケットにおける3連ＩＣタグのそれぞれの利用付加価値について説明する。
【００４７】
１）まず、タグＡであるが、タグＡは、チケットの予約・購入を容易にするチケットセンターへのアクセスガイドとして機能するとともに、予め用意されたユニークコードが書き込まれている。顧客からアクセスがあり、購入仮予約がなされた時点で、タグＡの書き込み情報は消去される（これは、タグが物理的に切り離されるのと等価である）。さらに、この時点で、タグＢ，Ｃにユニークコードが転記される（タグＡの切り離しに連動してタグＢ，Ｃに書き込みが行われ、それまでの内容が書き換えられる）。
【００４８】
２）タグＢは、タグＡの消去（＝切り離し）に連動して、タグＢにユニークコードを転記されるとともに、顧客のチケット購入仮予約内容が書き込まれる。
【００４９】
タグＢのデータは、顧客がチケット発券内容のプリントを行った時点で、消去される。そして、タグＢのデータの消去（＝切り離し）に連動して、タグＣにユニークコードと、チケット発券内容との転記が行われる。
【００５０】
３）タグＣに関しては、タグＣが、電子チケットの実体となる。顧客には、発券プリントで印字された購入チケットの内容確認手段となり、電子的（機械的）には、ユニークコードを手掛りに、座席番号確認と代金決済済みか否かを確認することとなる。
【００５１】
以上に説明したように、本実施の形態によるＩＣタグを用いた取り引きシステムによれば、チケット等予約・購入の機会を広げ、地域・場所を問わず、かつ、電子的に迅速な予約・購入手続きが行うことができる。また、チケット販売、イベント主催者側のメリットとしては、従来の印刷・ちらし等による広告・宣伝と、チケット予約と、を連動させることにより、顧客勧誘と、広告効果とを兼ね備えた宣伝媒体として、新たな集客方法を開拓できる。
【００５２】
さらに、ネット決済に関連する、銀行口座番号の漏洩等に関しては、顧客とその取り引き銀行との間の閉じた系で決済を行うことができるため、顧客のネット振込みに対する安心感を増す。加えて、使い捨てユニークコードは、ワンタイム・パスワードにも匹敵し、不正取り引きの機会を封じ、ネット取り引きの信頼性と、顧客の安心感を引き出す役割を果たす。
【００５３】
本ＩＣタグ利用の電子取り引きは、取得したＩＣタグからの初期設定により、公共・共用のコンピュータからも、容易に利用できる環境を構築することができ、コンピュータを保有していない人や、その利用技術レベルに依存することはなく、電子チケットをネット購入できるという、新たな利用機会を拡大するものである。
【００５４】
次に、本実施の形態の変形例による電子チケットについて図面を参照しつつ説明を行う。図７は、タグの印刷媒体への貼り付けと、印刷媒体上に発券プリント領域とを示す図であり、図３に対応する図である。図７に示すタグが図３に示すタグと異なる点は、切り取り線２１内に、端部からＩＣタグ１０を複数の部分に切り離す切込み線Ｃ１と切込み線Ｃ２とが設けられている点である。このようにすることにより、切り取り線２１で切り取った後のおいても、切込み線Ｃ１、Ｃ２を順次切り込んでいくことにより、図４、図６及び表１に示した例と同様に、取り引き過程に応じて切込み線を入れていくことにより、上記実施の形態と同様の機能変化を生じさせることができる。その際、切込み線を入れても、カード状の切り取り線２１内領域は１つの形態を成しているため、顧客がタグＩＣの一部を紛失したりするおそれはなく、それぞれの部分Ａ，Ｂ，Ｃ（図６）にユニークコードが残されているか否かについても、最終的に入場ゲートでリーダー/ライターにより確認することができる。
【００５５】
以上、本発明の実施の形態について説明したが、本発明に関しては当業者の思いつく範囲で様々な変形が可能なことはいうまでもない。
【産業上の利用可能性】
【００５６】
本発明は、ＩＣタグを利用した電子チケット又は取り引きシステムに応用できる。
【図面の簡単な説明】
【００５７】
【図１】従来技術を示すイメージ図である。
【図２】本発明の一実施の形態による切り離し可能な部分を備えたタグのイメージ図である。
【図３】本実施の形態によるタグの印刷媒体への貼り付けと、印刷媒体上に発券プリント領域とを示す図である。
【図４】本実施の形態による切り離し可能なタグの構成例を示す図である。
【図５】本実施の形態によるタグＡの構成例を示す図である。
【図６】本実施の形態による３連ＩＣタグの書込み位置と情報を示す図である。
【図７】本実施の形態の変形例によるタグの印刷媒体への貼り付けと、印刷媒体上に発券プリント領域とを示す図であり、図３に対応する図である。
【符号の説明】
【００５８】
１    携帯電話
２    イベントサーバー
５    イベント会場
110    表示部
120    キー入力部
130    通信処理部
１０  ＩＣタグ
１１  タグＡ
１２  タグＢ
１３  タグＣ
２０  発券プリント領域
２１  切り取り線
３０，４０，５０  ＲＦアンテナ
６０、７０、８０  ＩＣチップ
９１  共通ＧＮＤ
６１  電源回路
６２  送受信回路
６３  変調回路
６４  復調回路
６５  エンコード／デコード回路
６６  データ処理回路
６７  制御回路
６８  記憶装置
６９  Ａ１切り離し判定回路
Ｃ１、Ｃ２、Ｃ３…切込み線
【図１】
2006119986.tif 000004
【図２】
2006119986.tif 000005
【図３】
2006119986.tif 000006
【図４】
2006119986.tif 000007
【図５】
2006119986.tif 000008
【図６】
2006119986.tif 000009
【図７】
2006119986.tif 000010